(57)【特許請求の範囲】
【請求項１】
それぞれコネクタ付電線における電線部分の端部を挟持する複数の電線挟持部が一列に並んで形成され、複数の前記電線挟持部のそれぞれが、それらが一列に並ぶ方向に沿って両側からコネクタ付電線の電線部分の端部を挟む、棒状の電線保持部材と、
前記電線保持部材を縦方向に沿う状態で支持する支持部と、を備えるコネクタ付電線配列用具。
【請求項２】
請求項１に記載のコネクタ付電線配列用具であって、
前記支持部は、前記電線保持部材を鉛直方向に対して傾斜した縦方向に沿う状態で支持する、コネクタ付電線配列用具。
【請求項３】
請求項１又は請求項２に記載のコネクタ付電線配列用具であって、
前記支持部に支持された前記電線保持部材の下端の高さよりも下方の空間を前記電線保持部材から電線が垂れ下がる空間と前記電線保持部材に対し反対側の空間とに仕切る仕切部をさらに備える、コネクタ付電線配列用具。
【発明の詳細な説明】
【技術分野】
【０００１】
本発明は、棒状の部材上に複数のコネクタ付電線を配列するために用いられるコネクタ付電線配列用具に関する。
【背景技術】
【０００２】
自動車などの車両に搭載されるワイヤハーネスは、複数のコネクタ付電線を備える場合が多い。コネクタ付電線は、電線と電線の端部に接続されたコネクタとを有する。コネクタ付電線における電線は、通常、端部に端子が接続された端子付電線である。端子付電線の端子がコネクタのキャビティに挿入されることにより、コネクタ付電線が製造される。
【０００３】
コネクタ付電線の組立工程において、複数のコネクタ付電線が、複数の単位工程各々において組付けの対象となるものごとにひとまとめにされ、次工程へ移送される。その際、単位工程ごとのコネクタ付電線群は、棒状の電線保持部材上に配列されることによってひとまとめにされる。
【０００４】
電線保持部材は、それぞれコネクタ付電線における電線部分の端部を挟持する複数の電線挟持部が一列に並んで形成された棒状の部材である。特許文献１に示される電線保持バーは、電線保持部材の一例である。
【先行技術文献】
【特許文献】
【０００５】
【特許文献１】特開２０１３−８５５２号公報
【発明の概要】
【発明が解決しようとする課題】
【０００６】
従来、コネクタ付電線の組立工程において、コネクタ付電線各々における電線部分の両端部が、横向きに支持された電線保持部材における電線挟持部各々に順次セットされる。これにより、複数のコネクタ付電線は、それらの電線部分の両端部が直線方向に沿って並んだ状態で電線挟持部に保持される。
【０００７】
また、電線保持部材に保持されたコネクタ付電線各々の電線部分における両端部の間の中間部は、電線保持部材から垂れ下がった状態となる。また、電線部分の中間部は、電線保持部材の長手方向において広がって垂れ下がる。
【０００８】
ところで、作業者が、コネクタ付電線各々の端部を電線挟持部にセットしようとする際に、誤ってコネクタの部分を落としてしまう場合がある。この場合、コネクタの部分が垂れ下がった電線の間を通って落下すると、電線部分が引き上げられてもコネクタが垂れ下がった電線に引っ掛かる。そのため、コネクタ部分の落下に起因するコネクタ付電線の縺れが生じやすい。
【０００９】
本発明は、棒状の部材上に複数のコネクタ付電線を配列するために用いられるコネクタ付電線配列用具において、コネクタ部分の落下に起因するコネクタ付電線の縺れを防ぐことを目的とする。
【課題を解決するための手段】
【００１０】
第１態様に係るコネクタ付電線配列用具は、以下に示される各構成要素を備える。第１の構成要素は、それぞれコネクタ付電線における電線部分の端部を挟持する複数の電線挟持部が一列に並んで形成され、複数の前記電線挟持部のそれぞれが、それらが一列に並ぶ方向に沿って両側からコネクタ付電線の電線部分の端部を挟む、棒状の電線保持部材である。第２の構成要素は、上記電線保持部材を縦方向に沿う状態で支持する支持部である。
【００１１】
第２態様に係るコネクタ付電線配列用具は、第１態様に係るコネクタ付電線配列用具の一態様である。第２態様に係るコネクタ付電線配列用具において、上記支持部は、上記電線保持部材を鉛直方向に対して傾斜した縦方向に沿う状態で支持する。
【００１２】
第３態様に係るコネクタ付電線配列用具は、第１態様又は第２態様に係るコネクタ付電線配列用具の一態様である。第３態様に係るコネクタ付電線配列用具は仕切部をさらに備える。上記仕切部は、上記支持部に支持された上記電線保持部材の下端の高さよりも下方の空間を上記電線保持部材から電線が垂れ下がる空間と上記電線保持部材に対し反対側の空間とに仕切る。
【発明の効果】
【００１３】
コネクタ付電線の両端部が棒状の電線保持部材における電線挟持部に保持された場合、コネクタ付電線の電線部分における両端部の間の中間部は、電線の両端部を挟持する２つの電線挟持部の水平距離の分だけ横に広がって垂れ下がった状態となる。
【００１４】
上記の各態様において、棒状の電線保持部材は、縦方向に沿う状態で支持されている。この場合、複数の電線挟持部相互の水平距離がごく小さくなり、電線保持部材から垂れ下がった電線の横方向の広がり幅がごく小さくなる。そのため、作業者がコネクタ付電線のコネクタ部分を落としてしまった場合に、コネクタ部分が垂れ下がった電線の間に落下する可能性がごく低くなる。
【００１５】
従って、上記の各態様によれば、棒状の部材上に複数のコネクタ付電線が配列される際に、コネクタ部分の落下に起因するコネクタ付電線の縺れを高い確率で防ぐことができる。なお、このことは、電線保持部材上に配列された複数のコネクタ付電線が電線保持部材から取り外される際においても同様である。
【００１６】
ところで、棒状の電線保持部材が鉛直方向に沿う状態で支持されていれば、複数の電線挟持部相互の水平距離がゼロとなり、コネクタ部分が垂れ下がった電線の間に落下する可能性が最も低くなる。
【００１７】
また、一般に、電線挟持部は、コネクタ付電線の電線部分を電線保持部材の長手方向に沿って両側から挟む。従って、電線保持部材が鉛直方向に沿う状態で支持された場合、コネクタ付電線の電線部分は、水平方向に沿って電線挟持部に押し付けられることによって電線挟持部にセットされることになる。電線を押し付ける力が起立した電線保持部材に対して真横から加わると、電線保持部材の支持状態が不安定になりやすい。
【００１８】
そこで、第２態様においては、電線保持部材は鉛直方向に対して傾斜した縦方向に沿う状態で支持されている。この場合、電線を押し付ける力が電線保持部材に対して斜め下方に加わることになる。その結果、斜めに起立した電線保持部材の支持状態が不安定になりにくい。
【００１９】
また、第３態様においては、仕切部が、電線保持部材の下端の高さよりも下方の空間を電線保持部材から電線が垂れ下がる空間と電線保持部材に対し反対側の空間とに仕切っている。仕切部は、コネクタ付電線を電線保持部材にセットする作業者が電線保持部材から垂れ下がった電線に触れることを防ぎ、ひいてはコネクタ付電線の端部が電線に対する作業者の接触によって電線保持部材から脱落することを防ぐ。
【図面の簡単な説明】
【００２０】
【図１】実施形態に係るコネクタ付電線配列用具１０の斜視図である。
【図２】コネクタ付電線配列用具１０の平面図である。
【図３】コネクタ付電線配列用具１０及びそれにセットされるコネクタ付電線の平面図である。
【図４】コネクタ付電線がセットされたコネクタ付電線配列用具１０の斜視図である。
【発明を実施するための形態】
【００２１】
以下、添付の図面を参照しながら、実施形態について説明する。以下の実施形態は、本発明を具体化した一例であり、本発明の技術的範囲を限定する事例ではない。
【００２２】
＜コネクタ付電線配列用具の構成＞
まず、図１，２を参照しつつ、実施形態に係るコネクタ付電線配列用具１０の構成について説明する。コネクタ付電線配列用具１０は、棒状の部材上に複数のコネクタ付電線９を配列するために用いられる。
【００２３】
コネクタ付電線は、電線９１と電線９１の端部に接続されたコネクタ９２とを有する。電線９１は、通常、端部に端子が接続された端子付電線である。コネクタ付電線９において、電線９１の端部に接続された端子がコネクタ９２のキャビティに挿入されている。以下の説明において、コネクタ付電線９におけるコネクタ９２から延び出た電線９１の部分の端部、即ち、電線９１におけるコネクタ９２寄りの部分のことを電線端部９１０と称する。
【００２４】
コネクタ付電線配列用具１０は、電線保持バー１、バー支持部２及び仕切部３を備えている。
【００２５】
電線保持バー１は、複数のコネクタ付電線９各々の電線端部９１０を挟んで保持する棒状の部材である。電線保持バー１は、棒状の基部１１と基部１１上に一列に並んで形成された複数の電線挟持部１２とを有する。電線挟持部１２各々は、コネクタ付電線９の電線端部９１０を挟んで支持する部分である。複数の電線挟持部１２は、電線保持バー１の長手方向に沿って配列されている。
【００２６】
バー支持部２は、電線保持バー１を縦方向に沿う状態で支持する部分である。図１，２が示す例では、バー支持部２は、電線保持バー１を鉛直方向に対して傾斜した縦方向に沿う状態で支持している。鉛直方向に対する電線保持バー１の傾斜角度は、４５度未満であることが望ましく、例えば、２０度から３０度までの範囲内であることが考えられる。
【００２７】
バー支持部２は、支柱部２１と固定座２２とを有している。固定座２２は、電線保持バー１の基部１１を取り外し可能に保持する部分である。図１，２が示す例では、固定座２２は、電線保持バー１の基部１１の一端と他端の近傍とを保持している。
【００２８】
支柱部２１は、固定座２２を予め定められた位置で支持する部分である。図１，２が示す例では、支柱部２１は、複数の固定座２２各々をそれぞれ異なる高さの位置で支持している。これにより、電線保持バー１が鉛直方向に対し若干傾斜した方向に沿う姿勢で支持される。
【００２９】
コネクタ付電線９各々は、それら各々のコネクタ９２が電線保持バー１からその第一側方へ張り出す姿勢で電線挟持部１２各々に留められる。従って、電線保持バー１に保持されたコネクタ付電線９各々の電線９１の部分は、電線保持バー１の第二側方へ垂れ下がる。
【００３０】
例えば、電線挟持部１２は、それぞれ電線端部９１０が挿入されるスリットが形成された２枚の板状のゴム部材と、それら２枚のゴム部材の縁部を保持する枠部材とを有する。この場合、電線挟持部１２は、電線端部９１０をゴム部材の弾性力によって挟んで支持する。
【００３１】
或いは、電線挟持部１２が、合成樹脂などからなる可撓性を有する一対の部材を有することも考えられる。この場合、電線挟持部１２における一対の部材は、弾性変形により生じる弾性力によって電線９１を挟んで留める。また、電線挟持部１２が、不図示のバネなどの弾性体によって相互に近接する方向への弾性力が加えられた一対の部材を有することも考えられる。
【００３２】
通常、電線保持バー１に保持されたコネクタ付電線９各々は、その両端部各々にコネクタ９２が接続されている。そして、複数のコネクタ付電線９各々における両端の電線端部９１０が、１つの電線保持バー１における電線挟持部１２のいずれかに留められる。
【００３３】
従って、１本のコネクタ付電線９における両端のコネクタ９２各々に隣接する電線端部９１０各々が、電線保持バー１における離れた２箇所の電線挟持部１２各々に支持された場合、電線９１の中間部分は、２箇所の電線挟持部１２の水平距離の分だけ横方向において広がって垂れ下がる。
【００３４】
仕切部３は、コネクタ付電線９を電線保持バー１にセットする作業者が電線保持バー１から垂れ下がった電線９１に触れることを防ぐために設けられている。
【００３５】
仕切部３は、仕切板３１と仕切板３１を予め定められた位置で支持する仕切板支持部３２とを有している。例えば、仕切板３１は透明な板状の部材である。
【００３６】
仕切部３の仕切板３１は、バー支持部２に支持された電線保持バー１の下端１１１の高さよりも下方の空間を電線保持バー１から電線９１が垂れ下がる空間と電線保持バー１に対し反対側の空間とに仕切っている。
【００３７】
＜作用及び効果＞
次に、図３，４を参照しつつ、コネクタ付電線配列用具１０が用いられることによる作用及び効果について説明する。図３は、コネクタ付電線配列用具１０及びそれにセットされるコネクタ付電線９の平面図である。図４は、コネクタ付電線９がセットされたコネクタ付電線配列用具１０の斜視図である。
【００３８】
作業者は、バー支持部２に支持された電線保持バー１の下端１１１側の位置において上端１１２側を向く姿勢でコネクタ付電線９を電線挟持部１２にセットする作業を行う。
【００３９】
図３が示すように、コネクタ付電線９の端部は、それを摘んだ作業者によって仕切部３の電線保持バー１側に対して反対側の位置から電線保持バー１の電線挟持部１２の位置へ移される。その際、コネクタ９２から垂れ下がった電線９１の部分が、仕切板３１の側方を迂回するようにして、コネクタ付電線９の位置が移される。
【００４０】
そして、コネクタ９２から垂れ下がった電線９１の部分が仕切板３１の電線保持バー１側へ移行された状態で、電線端部９１０が、電線保持バー１の電線挟持部１２にセットされる。これにより、電線保持バー１に保持されたコネクタ付電線９各々の電線９１における両端部の間の中間部は、仕切板３１よりも電線保持バー１側の空間において、電線保持バー１から垂れ下がった状態となる。図４はその状態を示している。
【００４１】
コネクタ付電線配列用具１０において、電線保持バー１は、縦方向に沿う状態で支持されている。この場合、複数の電線挟持部１２相互の水平距離がごく小さくなり、電線保持バー１から垂れ下がった電線９１の横方向の広がり幅がごく小さくなる。そのため、作業者がコネクタ付電線９のコネクタ９２の部分を落としてしまった場合に、コネクタ９２が垂れ下がった電線９１の間に落下する可能性がごく低くなる。
【００４２】
従って、コネクタ付電線配列用具１０が採用されれば、電線保持バー１上に複数のコネクタ付電線９が配列される際に、コネクタ９２の落下に起因するコネクタ付電線９の縺れを高い確率で防ぐことができる。なお、このことは、電線保持バー１上に配列された複数のコネクタ付電線９が電線保持バー１から取り外される際においても同様である。
【００４３】
また、一般に、電線挟持部１２は、コネクタ付電線９の電線端部９１０を電線保持バー１の長手方向に沿って両側から挟む。図１〜４に示される電線挟持部１２も、電線端部９１０を電線保持バー１の長手方向に沿って両側から挟む。
【００４４】
従って、仮に、電線保持バー１が鉛直方向に沿う状態で支持された場合、コネクタ付電線９の電線端部９１０は、水平方向に沿って電線挟持部１２に押し付けられることによって電線挟持部１２にセットされることになる。電線端部９１０を押し付ける力が起立した電線保持バー１に対して真横から加わると、電線保持バー１の支持状態が不安定になりやすい。
【００４５】
一方、コネクタ付電線配列用具１０においては、電線保持バー１は鉛直方向に対して傾斜した縦方向に沿う状態で支持されている。この場合、電線端部９１０を押し付ける力が電線保持バー１に対して斜め下方に加わることになる。その結果、斜めに起立した電線保持バー１の支持状態が不安定になりにくい。
【００４６】
また、コネクタ付電線配列用具１０において、仕切部３が、電線保持バー１の下端１１１の高さよりも下方の空間を電線保持バー１から電線９１が垂れ下がる空間と電線保持バー１側に対し反対側の空間とに仕切っている。
【００４７】
従って、仕切部３は、コネクタ付電線９を電線保持バー１にセットする作業者が電線保持バー１から垂れ下がった電線９１に触れることを防ぐ。その結果、コネクタ付電線９の電線端部９１０が電線９１に対する作業者の接触によって電線保持バー１から脱落することが防がれる。
【００４８】
＜応用例＞
コネクタ付電線配列用具１０において、バー支持部２が、当該バー支持部２を次の工程の位置へ順次移動させる移送機構に支持されていることも考えられる。この場合、移送機構は、バー支持部２を予め定められた位置へ移動させることにより、バー支持部２に支持された電線保持バー１の下端１１１の近傍の位置に位置決めする。
【００４９】
また、仕切部３における空間を仕切る部分は、板状であるとは限らない。例えば、仕切部３における空間を仕切る部分が、網状の部材又は格子状の部材などであることも考えられる。
【００５０】
また、電線保持バー１がバー支持部２に支持された状態において、電線挟持部１２各々が、コネクタ付電線９の電線端部９１０を電線保持バー１の長手方向よりも水平に近い方向に沿って両側から挟む構造を有していることも考えられる。
【００５１】
上記の構造を有する電線挟持部１２が採用された場合、コネクタ付電線９の電線端部９１０は、より鉛直方向に近い方向に沿って電線挟持部１２に押し付けられることによって電線挟持部１２にセットされることになる。この場合、起立した電線保持バー１の支持状態がより安定する。
【００５２】
なお、本発明に係るコネクタ付電線配列用具は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００５３】
１０  コネクタ付電線配列用具
１  電線保持バー（電線保持部材）
１１  電線保持バーの基部
１１１  電線保持バーの下端
１１２  電線保持バーの上端
１２  電線挟持部
２  バー支持部
２１  支柱部
２２  固定座
３  仕切部
３１  仕切板
３２  仕切板支持部
９  コネクタ付電線
９１  電線
９１０  電線端部
９２  コネクタ
【図１】
0006024628.tif 000002
【図２】
0006024628.tif 000003
【図３】
0006024628.tif 000004
【図４】
0006024628.tif 000005